(57)【特許請求の範囲】
【請求項１】
グループ通信を行うように構成されている通信部と、
指示を入力するように構成されている入力部と、
報知部と、
前記通信部がグループ通信の開始通知を受信し、前記入力部から当該グループ通信への参加指示が入力されると、前記通信部に当該グループ通信を行わせるように構成されている制御部と
を具備し、
前記制御部は、前記通信部がグループ通信の開始通知を受信すると、当該開始通知の受信を前記報知部に報知させ、当該報知に対して前記入力部から前記参加指示が入力されない場合、当該グループ通信が終了するまで、当該グループ通信が開催中であることを前記報知部に報知させる
通信装置。
【請求項２】
前記制御部は、前記通信部がグループ通信の終了通知を受信することに基づいて、当該終了通知に係るグループ通信が終了したと判定する
請求項１に記載の通信装置。
【請求項３】
前記制御部は、前記報知部が前記開始通知の受信を報知してから、所定時間内に前記参加指示が入力されない場合は、当該開始通知の受信の報知に代えて、前記開始通知を受信したが前記参加指示が入力されなかったことを示す報知を前記報知部に報知させる
請求項１に記載の通信装置。
【請求項４】
前記制御部は、前記開始通知に係るグループ通信が開催中であることを前記報知部が報知しているとき、前記通信部が当該グループ通信の終了通知を受信すると、前記報知部が、当該グループ通信の終了を報知する
請求項２に記載の通信装置。
【請求項５】
前記制御部は、前記開始通知に係るグループ通信が開催中であることを前記報知部が報知しているとき、前記入力部から当該グループ通信への途中参加の指示が入力されると、前記通信部に当該グループ通信を行わせる
請求項１に記載の通信装置。
【請求項６】
前記制御部は、前記報知部により報知中のグループ通信に対する前記途中参加指示に応じてグループ通信の開始を試みたときに、前記通信部の通信状態が不良のため当該グループ通信を開始できない場合は、通信状態の不良によりグループ通信を開始できないことを前記報知部に報知させる
請求項５に記載の通信装置。
【請求項７】
前記制御部は、前記報知部により報知中のグループ通信に対する前記途中参加指示に応じてグループ通信の開始を試みたときに、当該グループ通信が既に終了しているため当該グループ通信を開始できない場合は、当該グループ通信が開催中であることを示す前記報知部に報知を停止させる
請求項５に記載の通信装置。
【請求項８】
前記制御部は、前記開始通知に係るグループ通信が開催中であることを前記報知部に報知させてから、当該グループ通信の終了通知を前記通信部が所定時間以上受信しない場合、当該グループ通信が開催中であることを示す前記報知部による報知を停止する
請求項２に記載の通信装置。
【請求項９】
前記制御部は、前記開始通知の受信が生じたにも係わらず前記入力部から前記参加指示を入力されないグループ通信の数が複数であって、なおかつ当該複数のグループ通信の中に未だ終了していないグループ通信が含まれるならば、前記開始通知を受信したが前記参加指示を入力されていない開催中のグループ通信が存在することを前記報知部に報知させる
請求項１に記載の通信装置。
【請求項１０】
前記通信部が受信した前記開始通知と当該開始通知に対応するグループ通信の状態とを関連付けたリストを記憶するように構成された記憶部をさらに有し、
前記制御部は、前記開始通知を前記通信部が受信してから所定時間内に前記入力部において前記参加指示が入力されない場合、当該受信した開始通知に対応するグループ通信の状態を第１の状態として前記リストに登録し、グループ通信の終了通知を前記通信部が受信すると、前記リストにおける当該終了通知に対応するグループ通信の状態を第２の状態へ変更し、前記リストに前記第１の状態のグループ通信が少なくとも１つ登録されているとき、前記開始通知に対応するグループ通信の中に開催中のグループ通信が含まれることを前記報知部に報知させる
請求項２に記載の通信装置。
【請求項１１】
前記制御部は、前記リストに前記第２の状態のグループ通信が少なくとも１つ登録されているならば、前記開始通知に対応するグループ通信の中に終了したグループ通信が含まれることを前記報知部に報知させる
請求項１０に記載の通信装置。
【請求項１２】
前記制御部は、少なくとも、前記リストに含まれる前記第１の状態のグループ通信の数と、前記リストに含まれる前記第２の状態のグループ通信の数のいずれか一方を前記報知部に報知させる
請求項１０に記載の通信装置。
【請求項１３】
請求項１に記載の通信装置を含む複数の通信装置と通信を行い、グループ通信を管理するサーバ装置であって、
前記通信装置の１つから相手先を指定してグループ通信の開始を要求されると、相手先として指定された通信装置に対して当該グループ通信の開始通知を送信し、当該開始通知を送信した何れかの通信装置から参加の応答があれば開始を要求した通信装置と応答があった通信装置との間でグループ通信を行わせ、開催中のグループ通信を終了する場合には、前記指定された相手先の通信装置に対して終了通知を送信する
サーバ装置。
【請求項１４】
グループ通信を行うように構成された通信手段と、
指示を入力するように構成された入力手段と、
報知手段と、
前記通信部がグループ通信の開始通知を受信し、所定時間内に前記入力部から当該グループ通信への参加指示が入力されると、前記通信部に当該グループ通信を行わせるように構成されたグループ通信制御手段と、
前記通信部がグループ通信の開始通知を受信した場合、当該開始通知の受信を前記報知部に報知させ、前記所定時間内に前記入力部から前記参加指示が入力されないときは、前記通信部が当該グループ通信の終了通知を受信するまでの間、当該グループ通信が開催中であることを前記報知部に報知させるように構成された報知制御手段と
を具備する通信装置。
【請求項１５】
通信部と指示入力部と報知部とを備え、前記通信部においてグループ通信の開始通知を受信した場合、前記指示入力部から当該グループ通信への参加指示が入力されると前記通信部により当該グループ通信を行う通信装置における通信制御方法であって、
前記グループ通信の開始通知が受信されると、当該開始通知の受信を前記報知部において報知し、当該報知に対して前記入力部から前記参加指示が入力されない場合、前記通信部において当該グループ通信の終了通知が受信されるまでの間、当該グループ通信が開催中であることを前記報知部において報知する
ことを特徴とする通信制御方法。
【発明の詳細な説明】
【技術分野】
【０００１】
本発明は、ＰＴＴ（push to talk）等のグループ通信を行う通信装置とその通信制御方法並びにグループ通信を管理するサーバ装置に係り、特に、呼出信号に応答しなかった場合に未応答の着信があったことを報知する機能を備えた通信装置に関するものである。
【背景技術】
【０００２】
一般に携帯電話機は、呼出信号を着信したにも係わらずこれに応答しなかった場合、その未応答の着信（不在着信）があったことをユーザに通知する機能を備えている。例えば、待ち受け画面の中央付近に「不在着信あり」等のメッセージを表示したり、画面の上部や下部の専用領域にピクトと称される図形を用いて不在着信があったことを表示したり、あるいはＬＥＤ等の発光素子を点灯したりすることによって、不在着信を通知する。【０００３】
また、電話の着信だけでなく、電子メールの着信（新規メールの受信）があった場合にも、電話の場合と同様な方法によって電子メールの着信がユーザに通知される。【０００４】
上記のような不在着信の表示は、通常、ユーザが所定の確認操作を行うことによって消去される。例えば電話の場合、着信履歴の画面を表示することによって消去され、電子メールの場合は、新規メールをサーバから受信してその受信したメールを画面に表示することにより消去される。ユーザがこれとは別の操作を行っても、不在着信の表示は消去されない。【０００５】
また多くの携帯電話機では、不在着信のメッセージとともに、着信履歴やメール受信用の画面へ直接遷移するためのボタンをソフトキーとして表示する。ユーザがこの表示に対応するボタンを押してこれらの画面に遷移すると、不在着信のメッセージが待ち受け画面から消去される。【０００６】
ところで、近年では電話機の通信態様が多様化しており、回線交換による従来の音声通話に加えて、ＩＰ（internet protocol）網を利用したパケット通信を行うことが可能な電話機が広く利用されている。例えば、携帯電話機同士でリアルタイムに文字をやり取りすることで会話を行う「チャットメール」がある（特許文献１参照）。チャットメールは、予め登録しておいたメンバによってグループを形成し、このグループ内でリアルタイムに文字などのデータをやり取りする「グループ通信」と呼ばれる通信態様の１つである。【０００７】
また、昨今注目を集めているグループ通信の１つに、ＰＴＴ（push to talk）やＰｏＣ（push to talk over cellular）と呼ばれるものがある。ＰＴＴでは、グループを形成する複数の通信装置同士がＶｏＩＰ（voice over internet protocol）によるリアルタイムの音声通話を行う（特許文献２参照）。【０００８】
ＰＴＴのグループ通信では、発言を希望するユーザが通信装置に設けられた所定のボタン（ＰＴＴボタン）を押下することにより、ユーザの発言要求がサーバ装置へ送信される。サーバ装置は、各通信装置からの発言要求を受けて、１つの通信装置に発言権を与える。発言権を与えられた通信装置は、ユーザの音声データをサーバ装置に送信し、サーバ装置はその音声データを他の通信装置へ一斉に送信する。これにより、グループを形成する複数の通信装置によってリアルタイムの音声通話が行われる。
【特許文献１】特開２００３−１７４５２０号公報
【特許文献２】特表２００５−５２２０６７号公報
【発明の開示】
【発明が解決しようとする課題】
【０００９】
一般に、ＰＴＴ通信を行う携帯電話機は、ＰＴＴ通信用のアプリケーションプログラムによってＰＴＴ通信に関する処理を実行する。このアプリケーションプログラムは、ユーザの指示により手動で起動するほか、ＰＴＴの着信（電子メール等によるＰＴＴ通信の開催通知の受信）があった場合に自動的に起動する。【００１０】
ＰＴＴ通信用のアプリケーションプログラムは、着信に応答して自動的に起動すると、報知音などによってＰＴＴの着信をユーザに報知する。このとき、通話ボタンなどの操作によってＰＴＴ通信に参加するようにユーザの指示が入力されると、アプリケーションプログラムはサーバ装置に対してＰＴＴ通信に参加する旨の応答を送信し、ＰＴＴ通信を開始する。他方、ユーザの指示が一定時間以上入力されない場合、アプリケーションプログラムは参加応答を送信することなく自発的に終了する。【００１１】
上記のような未応答のＰＴＴ通信の着信（ＰＴＴの不在着信）があった場合、電話や電子メールの場合と同様に、その不在着信の存在を待ち受け画面等に表示してユーザに知らせることが望ましい。【００１２】
ところで、グループ通信は通常の１対１の通信と異なり、１つの通信装置が着信に応答しなくても他の通信装置が着信に応答すれば開催される。ユーザが不在着信の表示を確認した時点でも、そのグループ通信が開催中であれば、これに途中参加することが可能である。
しかしながら、ＰＴＴの不在着信があったことを単に表示するだけでは、そのＰＴＴ通信が現在も開催中であるのかをユーザは判断できない。すなわち、ＰＴＴ通信に途中参加するための通信動作を行って接続に失敗したとき、初めてそのＰＴＴ通信が終了していることを認識できる。そのため、不在着信のＰＴＴ通信に途中参加するための通信動作が無駄になるという不都合がある。【００１３】
上述した事情に鑑みて、開始通知を受信したにも係わらずこれに応答しなかったグループ通信があることを報知できるとともに、そのグループ通信が開催中であるか否かの確認が容易な通信装置とその通信制御方法、並びに、そのような通信装置によって行われるグループ通信を管理するサーバ装置を提供することが望まれている。
【課題を解決するための手段】
【００１４】
本発明の通信装置は、グループ通信を行うように構成されている通信部と、指示を入力するように構成されている入力部と、報知部と、前記通信部がグループ通信の開始通知を受信し、前記入力部から当該グループ通信への参加指示が入力されると、前記通信部に当該グループ通信を行わせるように構成されている制御部とを備える。この通信装置において、前記制御部は、前記通信部がグループ通信の開始通知を受信すると、当該開始通知の受信を前記報知部に報知させ、当該報知に対して前記入力部から前記参加指示が入力されない場合、当該グループ通信が終了するまで、当該グループ通信が開催中であることを前記報知部に報知させる。【００１５】
好適には、前記制御部は、前記通信部がグループ通信の終了通知を受信することに基づいて、当該終了通知に係るグループ通信が終了したと判定する。【００１６】
また好適には、前記制御部は、前記報知部が前記開始通知の受信を報知してから、所定時間内に前記参加指示が入力されない場合は、当該開始通知の受信の報知に代えて、前記開始通知を受信したが前記参加指示が入力されなかったことを示す報知を前記報知部に報知させる。【００１７】
また、前記制御部は、前記開始通知に係るグループ通信が開催中であることを前記報知部が報知しているとき、前記通信部が当該グループ通信の終了通知を受信すると、前記報知部が、当該グループ通信の終了を報知してよい。【００１８】
また前記制御部は、前記開始通知に係るグループ通信が開催中であることを前記報知部が報知しているとき、前記入力部から当該グループ通信への途中参加の指示が入力されると、前記通信部に当該グループ通信を行わせてよい。
前記制御部は、前記報知部により報知中のグループ通信に対する前記途中参加指示に応じてグループ通信の開始を試みたときに、前記通信部の通信状態が不良のため当該グループ通信を開始できない場合は、通信状態の不良によりグループ通信を開始できないことを前記報知部に報知させてよい。
前記制御部は、前記報知部により報知中のグループ通信に対する前記途中参加指示に応じてグループ通信の開始を試みたときに、当該グループ通信が既に終了しているため当該グループ通信を開始できない場合は、当該グループ通信が開催中であることを示す前記報知部に報知を停止させてよい。【００１９】
前記制御部は、前記開始通知に係るグループ通信が開催中であることを前記報知部に報知させてから、当該グループ通信の終了通知を前記通信部が所定時間以上受信しない場合、当該グループ通信が開催中であることを示す前記報知部による報知を停止してよい。【００２０】
前記制御部は、前記開始通知の受信が生じたにも係わらず前記入力部から前記参加指示を入力されないグループ通信の数が複数であって、なおかつ当該複数のグループ通信の中に未だ終了していないグループ通信が含まれるならば、前記開始通知を受信したが前記参加指示を入力されていない開催中のグループ通信が存在することを前記報知部に報知させてよい。【００２１】
前記通信装置は、前記通信部が受信した前記開始通知と当該開始通知に対応するグループ通信の状態とを関連付けたリストを記憶するように構成された記憶部をさらに有し、前記制御部は、前記開始通知を前記通信部が受信してから所定時間内に前記入力部において前記参加指示が入力されない場合、当該受信した開始通知に対応するグループ通信の状態を第１の状態として前記リストに登録し、グループ通信の終了通知を前記通信部が受信すると、前記リストにおける当該終了通知に対応するグループ通信の状態を第２の状態へ変更し、前記リストに前記第１の状態のグループ通信が少なくとも１つ登録されているとき、前記開始通知に対応するグループ通信の中に開催中のグループ通信が含まれることを前記報知部に報知させてよい。
前記制御部は、前記リストに前記第２の状態のグループ通信が少なくとも１つ登録されているならば、前記開始通知に対応するグループ通信の中に終了したグループ通信が含まれることを前記報知部に報知させてよい。
前記制御部は、少なくとも、前記リストに含まれる前記第１の状態のグループ通信の数と、前記リストに含まれる前記第２の状態のグループ通信の数のいずれか一方を前記報知部に報知させてよい。【００２２】
本発明のサーバ装置は、上述した通信装置を含んだ複数の通信装置と通信を行い、グループ通信を管理する。このサーバ装置は、前記通信装置の１つから相手先を指定してグループ通信の開始を要求されると、相手先として指定された通信装置に対して当該グループ通信の開始通知を送信し、当該開始通知を送信した何れかの通信装置から参加の応答があれば開始を要求した通信装置と応答があった通信装置との間でグループ通信を行わせ、開催中のグループ通信を終了する場合には、前記指定された相手先の通信装置に対して終了通知を送信する。【００２３】
本発明の通信装置は、グループ通信を行うように構成された通信手段と、指示を入力するように構成された入力手段と、報知手段と、前記通信部がグループ通信の開始通知を受信し、所定時間内に前記入力部から当該グループ通信への参加指示が入力されると、前記通信部に当該グループ通信を行わせるように構成されたグループ通信制御手段と、前記通信部がグループ通信の開始通知を受信した場合、当該開始通知の受信を前記報知部に報知させ、前記所定時間内に前記入力部から前記参加指示が入力されないときは、前記通信部が当該グループ通信の終了通知を受信するまでの間、当該グループ通信が開催中であることを前記報知部に報知させるように構成された報知制御手段と、を備える。【００２４】
本発明の通信制御方法は、通信部と指示入力部と報知部とを備え、前記通信部においてグループ通信の開始通知を受信した場合、前記指示入力部から当該グループ通信への参加指示が入力されると前記通信部により当該グループ通信を行う通信装置における通信制御方法であって、前記グループ通信の開始通知が受信されると、当該開始通知の受信を前記報知部において報知し、当該報知に対して前記入力部から前記参加指示が入力されない場合、前記通信部において当該グループ通信の終了通知が受信されるまでの間、当該グループ通信が開催中であることを前記報知部において報知する。
【発明の効果】
【００２５】
本発明によれば、開始通知を受信したにも係わらずこれに応答しなかったグループ通信があることを報知できるとともに、そのグループ通信が開催中であるか否かの確認が容易になる。
【図面の簡単な説明】
【００２６】
【図１】本発明の実施形態に係る通信システムの構成の一例を示す図である。
【図２】本発明の実施形態に係る通信装置の構成の一例を示す図である。
【図３】待ち受け状態からＰＴＴアプリケーションを起動する動作の一例を示すフローチャートである。
【図４】ＰＴＴアプリケーションの通信処理の一例を示すフローチャートである。
【図５】ＰＴＴ着信履歴の表示処理の一例を示すフローチャートである。
【図６】不在着信リストの更新処理の一例を示す図である。
【図７】不在着信通知の表示処理の一例を示す図である。
【図８】着信履歴の表示処理に伴う表示部の画面遷移の一例を示す図である。
【図９】ＰＴＴ通信の終了通知の受信に伴う画面遷移の一例を示す図である。
【図１０】不在着信通知の他の表示例を示す図である。
【符号の説明】
【００２７】
１０１…アンテナ、１０２…通信部、１０３…キー入力部、１０４…音声処理部、１０５…スピーカ、１０６…マイクロフォン、１０７…表示部、１０８…記憶部、１１０…制御部、１１１…グループ通信制御部、１１２…報知制御部、１００，１００−１〜１００−５…通信端末、２００…通信管理装置、３００…通信網
【発明を実施するための最良の形態】
【００２８】
図１は、本発明の実施形態に係る通信システムの構成の一例を示す図である。
本実施形態に係る通信システムは、例えば図１に示すように、通信装置１００−１〜１００−５と、通信管理装置２００とを有する。【００２９】
通信装置１００−ｉ（ｉは１から５までの整数を示す）は、例えば携帯電話機等の無線通信端末であり、基地局（３００−１，３００−２，３００−３）を介して通信網３００に接続される。また、通信装置１００−ｉは、通信網３００に接続される通信管理装置２００の制御に従ってデータ通信を行う。本実施形態では、一例としてＰＴＴ（push to talk）によるグループ通信（以下、ＰＴＴ通信と呼ぶことがある）を行うものとする。ＰＴＴ通信において伝送されるデータには、例えば通話音声や、画像、文字、楽曲などのデータが含まれる。【００３０】
通信装置１００−ｉは、ＰＴＴ通信を行う場合、ＰＴＴ通信を開始する主催者の装置（以下、主催者端末と呼ぶことがある）になるか、又は、ＰＴＴ通信の開通知を受けてＰＴＴ通信に参加する装置（以下、参加者端末と呼ぶことがある）になる。【００３１】
自らが主催者端末となってＰＴＴ通信を開始する場合、まず通信装置１００−ｉは通信管理装置２００にアクセスし、自らの記憶部に格納されているアドレス帳などから選択した複数の相手先を指定して、ＰＴＴ通信の開始を要求する。この要求を受けた通信管理装置２００が後述するＰＴＴ通信管理用のサイトを設置すると、通信装置１００−ｉは、設置されたサイトのネットワークアドレスやログイン用ＩＤなどの情報を通信管理装置２００から取得する。【００３２】
他方、通信装置１００−ｉは、通信管理装置２００から送られてくるＰＴＴ通信の開始通知を受信すると、例えば画像や光、音、振動などを発生する報知部により開始通知が受信されたことをユーザに報知する。この報知の際、例えばユーザのキー操作などによってＰＴＴ通信への参加指示が入力されると、通信装置１００−ｉはＰＴＴ通信に参加する旨の応答を通信管理装置２００に送信するとともに、開始通知に含まれる情報に基づいて通信管理用のサイトにアクセスし、参加者端末としてＰＴＴ通信を開始する。【００３３】
通信管理装置２００は、通信装置（１００−１〜１００−５）によって行われるＰＴＴのグループ通信を管理する。
通信管理装置２００は、主催者端末より発せられたＰＴＴ通信の開始要求を受信すると、通信管理装置２００上（あるいはネットワーク上の他のサーバ装置でもよい）に、ＰＴＴ通信管理用のサイトを設ける。このサイトは、ＰＴＴ通信に参加する各通信装置の情報（電話番号、電子メールアドレスなど）の管理や、各通信装置のＰＴＴ通信への参加と退場、通信装置間のデータの送受信、発言を要求する通信装置への発言権の付与など、ＰＴＴ通信に関わる種々の管理や制御を行う。【００３４】
通信管理装置２００は、ＰＴＴ通信の開始要求に応じてＰＴＴ通信管理用のサイトを設置すると、そのサイトの情報を主催者端末に送信するとともに、ＰＴＴ通信の開始要求において指定された参加者端末それぞれにＰＴＴ通信の開始通知を送信する。ＰＴＴ通信の開始通知には、例えばＰＴＴ通信の主催者端末の情報（電話番号、電子メールアドレスなど）や、上述したＰＴＴ通信管理用サイトのネットワークアドレス、ログイン用ＩＤなど、ＰＴＴ通信に参加するために必要な各種の情報が含まれる。【００３５】
通信管理装置２００は、参加者端末に対してＰＴＴ通信の開始通知を送信すると、この開始通知に対する参加者端末からの応答を監視し、少なくとも１つの参加者端末からＰＴＴ通信に参加する旨の応答を受信した場合、この参加者端末と主催者端末によって行われるＰＴＴ通信の管理や制御を行う。【００３６】
ＰＴＴ通信に参加する１の通信装置において、例えばＰＴＴボタンの押下等により発言要求（データ送信要求）が発せられると、通信管理装置２００は他に発言中（データ送信中）の通信装置がいなければ、当該１の通信装置に対して発言権（データ送信権）を付与する。すなわち、当該１の通信装置から送られてくるデータ（通話音声や文字など）を受信し、これを他の参加中の通信装置へ送信する。発言中の通信装置が他にあれば、当該１の通信装置に対して拒否の応答を返す。幾つかの通信装置の発言要求が重なった場合には、所定のルールにより各通信装置の優先順位を決定し（例えば発言回数が少ない端末ほど順位を高くする等）、これに基づいて各通信装置へ順番に発言権を付与する。【００３７】
通信管理装置２００は、主催者端末により発せられたＰＴＴ通信の終了要求を受信すると、ＰＴＴ通信の終了通知を参加者端末にそれぞれ送信し、ＰＴＴ通信を終了する。この場合、通信管理装置２００はＰＴＴ通信に参加中の通信装置だけでなく、ＰＴＴ通信の開始通知に参加応答を返さなかった未参加の通信装置にも終了通知を送信する。【００３８】
次に、通信装置の構成例について説明する。【００３９】
図２は、本発明の実施形態に係る通信装置（１００−１〜１００−５）の構成の一例を示す図である。以下では、図２に示す構成を有する通信装置をまとめて「通信装置１００」と呼ぶことがある。
図２に示す通信装置１００は、アンテナ１０１と、通信部１０２と、キー入力部１０３と、音声処理部１０４と、スピーカ１０５と、マイクロフォン１０６と、表示部１０７と、記憶部１０８と、制御部１１０とを有する。【００４０】
通信部１０２は、通信網３００に接続される基地局（３００−１，３００−２，３００−３）と無線通信を行う。例えば通信部１０２は、制御部１１０から供給される送信データに所定の変調処理を施して無線信号に変換し、アンテナ１０１から送出する。また、アンテナ１０１において受信される基地局からの無線信号に所定の復調処理を施して受信データに変換し、制御部１１０に出力する。【００４１】
キー入力部１０３は、例えば電源キー、通話キー、数字キー、文字キー、方向キー、決定キー、ＰＴＴボタンなど、各種の機能が割り当てられたキーを有しており、これらのキーがユーザによって操作された場合に、その操作内容に対応する信号を発生し、これをユーザの指示として制御部１１０に入力する。【００４２】
音声処理部１０４は、スピーカ１０５において出力される音声信号やマイクロフォン１０６において入力される音声信号の処理を行う。すなわち、マイクロフォン１０６から入力される音声信号に増幅、アナログ−デジタル変換、符号化等の信号処理を施し、デジタルの音声データに変換して制御部１１０に出力する。また、制御部１１０から供給される音声データに復号化、デジタル−アナログ変換、増幅等の信号処理を施し、アナログの音声信号に変換してスピーカ１０５に出力する。【００４３】
表示部１０７は、例えば液晶表示パネルや有機ＥＬパネルなどの表示デバイスを用いて構成されており、制御部１１０から供給される映像信号に応じた画像を表示する。例えば、発信時における発信先の電話番号、着信時における着信相手の電話番号、受信メールや送信メールの内容、日付、時刻、バッテリ残量、待ち受け画面などの各種の情報や画像を表示する。【００４４】
記憶部１０８は、制御部１１０において処理に利用される各種のデータを記憶する。例えば、制御部１１０に備わるコンピュータのプログラム、通信相手の電話番号や電子メールアドレス等の個人情報を管理するアドレス帳、着信音やアラーム音を再生するための音声ファイル、各種の設定データ、プログラムの処理過程で利用される一時的なデータなどを保持する。【００４５】
記憶部１０８は、任意のプログラムのアクセスが許可された外部データ保存領域ＡＲ１と、特定のアプリケーションプログラムのアクセスが許可されたアプリケーション領域ＡＲ２を有する。例えばＰＴＴ通信に係わる処理を実行するアプリケーションプログラムは、アプリケーション領域ＡＲ２内の専用の領域に、プログラム終了後も保存する必要がある着信履歴などのデータを保存する。【００４６】
記憶部１０８は、例えば不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成される。【００４７】
制御部１１０は、通信装置１００の全体的な動作を統括的に制御する。すなわち、通信装置１００の各種の処理（回線交換網を介して行われる音声通話、ＰＴＴのグループ通信、電子メールの作成と送受信、インターネットのＷｅｂサイトの閲覧など）がキー入力部１０３の操作に応じて適切な手順で実行されるように、上述した各ユニットの動作（通信部１０２における信号の送受信、音声処理部１０４における音声の入出力、表示部１０７における画像の表示など）を制御する。
例えば制御部１１０は、記憶部１０８に格納されるプログラム（オペレーティングシステム、アプリケーション等）に基づいて処理を実行するコンピュータを備えており、プログラムが指示する手順に従って上述した処理を実行する。【００４８】
制御部１１０は、ＰＴＴ通信に関連して次のような処理を行う。【００４９】
通信部１０２においてＰＴＴ通信の開始通知が受信されると、制御部１１０はＰＴＴアプリケーションを自動的に起動し、この起動したＰＴＴアプリケーションにおいてＰＴＴの着信があったことを報知するように表示部１０７やスピーカ１０５を制御する。例えば表示部１０７の画面にＰＴＴの着信を告げるメッセージを表示させたり、スピーカ１０５において音を発生させたりすることにより、ＰＴＴ通信の開始通知が受信されたことを報知する。【００５０】
また制御部１１０は、上記の報知を行う場合、ＰＴＴ通信への参加を指示する所定のキー操作（例えば通話キーの押下など）がキー入力部１０３において行われたか監視する。
キー入力部１０３にＰＴＴ通信への参加指示が入力された場合、制御部１１０は通信部１０２によってＰＴＴ通信の開始処理を実行する。すなわち、ＰＴＴ通信に参加する旨の応答を通信部１０２から通信管理装置２００へ送信するとともに、受信した開始通知に含まれる情報に基づいて通信管理装置２００が設置したサイトにアクセスし、ＰＴＴ通信を開始する。【００５１】
所定時間内に参加指示が入力されなかった場合、制御部１１０は通信管理装置２００へ参加応答を送信することなくＰＴＴアプリケーションを終了する。またそのとき、ＰＴＴ通信の開始通知に応答しなかったこと（すなわちＰＴＴの不在着信があったこと）を示すデータを記憶部１０８の外部データ保存領域ＡＲ１に保存する。このように、開始通知を受信したにもかかわらずキー入力部１０３において参加指示が入力されなかったＰＴＴ通信を、以下では「未応答のＰＴＴ通信」と呼ぶ。【００５２】
制御部１１０は、未応答のＰＴＴ通信の状態を、例えばリスト形式で記憶部１０８の外部データ記憶領域ＡＲ１に記憶させる。
すなわち制御部１１０は、通信部１０２において受信された開始通知と、その開始通知に係る未応答のＰＴＴ通信の状態とを関連付けたリスト（以下、不在着信リストと呼ぶことがある）を記憶部１０８の外部データ保存領域ＡＲ１に保存する。ＰＴＴ通信の開始通知が通信部１０２において受信されてから所定時間内にキー入力部１０３において参加指示が入力されない場合、この開始通知に係る未応答のＰＴＴ通信の状態を「開催中（第１の状態）」として不在着信リストに登録する。【００５３】
制御部１１０は、新たな未応答のＰＴＴ通信の開始通知を不在着信リストに登録する場合、このＰＴＴ通信に関連する情報を「不在着信履歴」としてアプリケーション領域ＡＲ２に保存する。不在着信履歴には、例えば主催者端末や参加者端末に関する情報（名前、電話番号、電子メールアドレスなど）、開始通知が送信（又は受信）された日時の情報などが含まれる。【００５４】
不在着信リストの登録や不在着信履歴の保存を行った後、制御部１１０はＰＴＴアプリケーションを終了する。ＰＴＴアプリケーションを終了すると、制御部１１０は例えば待ち受け画面表示用のアプリケーションプログラムなど、別のアプリケーションプログラムを起動する。【００５５】
その後、制御部１１０は、ＰＴＴ通信の終了通知が通信部１０２において受信された場合、当該終了通知に係る未応答のＰＴＴ通信の不在着信リストにおける状態を「開催中（第１の状態）」から「終了（第２の状態）」へ変更する。
制御部１１０は、この不在着信リストの変更を例えばＰＴＴアプリケーションによって行う。したがって、終了通知を受信した時にＰＴＴアプリケーションが起動していない場合、制御部１１０はＰＴＴアプリケーションを自動的に起動し、ＰＴＴアプリケーションにおいて不在着信リストの変更を行い、この変更後にＰＴＴアプリケーションを自動終了する。【００５６】
制御部１１０は、ＰＴＴアプリケーションが起動していないとき（例えば待ち受けアプリケーションを実行しているとき）、外部データ保存領域ＡＲ１に保存されるデータに基づいて、ＰＴＴ通信の開始通知を受信したにも係わらず応答しなかったことを示す通知（以下、不在着信通知と呼ぶことがある）を表示部１０７に表示する。
またこの場合、未応答のＰＴＴ通信の終了通知が通信部１０２において受信されるまでの間、この未応答のＰＴＴ通信が開催中であることを表示部１０７に表示する。例えば「開催中のＰＴＴ通信があります」などのメッセージを表示部１０７の待ち受け画面に表示する。【００５７】
制御部１１０は、未応答のＰＴＴ通信が複数ある場合、この複数のＰＴＴ通信の中に未だ終了通知を受信していないＰＴＴ通信が含まれるならば、開催中の未応答のＰＴＴ通信が存在することを表示部１０７の待ち受け画面に表示する。
例えば制御部１１０は、外部データ保存領域ＡＲ１の不在着信リストに「開催中」の状態のＰＴＴ通信が１つでも登録されている場合、「開催中のＰＴＴ通信があります」などのメッセージを表示部１０７の待ち受け画面に表示する。【００５８】
開催中の未応答のＰＴＴ通信が存在することを表示部１０７において表示しているとき（「開催中のＰＴＴ通信があります」等）、その開催中のＰＴＴ通信の終了通知が通信部１０２において受信されると、制御部１１０は当該ＰＴＴ通信が終了したことを表示部１０７に表示する。
例えば制御部１１０は、終了通知の受信に応じて不在着信リストを変更し、この変更によってリストに登録される未応答のＰＴＴ通信の状態が全て「終了」になった場合に、「開催中のＰＴＴ通信があります」などのメッセージを「ＰＴＴの着信があります」などのメッセージに変更する。これにより、未応答のＰＴＴ通信が存在するが既に終了していることを通知する。【００５９】
また制御部１１０は、不在着信リストにおいて「開催中」の状態にあるＰＴＴ通信の数や「終了」の状態にあるＰＴＴ通信の数、若しくはその何れかの状態にあるＰＴＴ通信の数などを、不在着信通知として表示部１０７の待ち受け画面に表示してもよい。【００６０】
上記のように不在着信通知を表示しているとき、その不在着信通知に係るＰＴＴ通信に途中参加するための指示がキー入力部１０３に入力されると、制御部１１０は不在着信通知の表示を変更若しくは停止する。【００６１】
例えば制御部１１０は、表示部１０７の画面に「ＰＴＴ着信あり」等の不在着信通知を表示するとき、これと同じ画面にキー入力部１０３の特定のキーを表すボタンを表示する（図８の待ち受け画面Ｌ６における「ＯＫ」ボタンなど）。この画面を表示しているとき、上記特定のキーがユーザによって押下されると、制御部１１０はＰＴＴアプリケーションを起動して、この不在着信通知に対応したＰＴＴ通信へ途中参加するように通信部１０２を制御する。すなわち、このＰＴＴ通信の開始通知に含まれる情報に基づいて、通信管理装置２００が設置した通信管理用のサイトにアクセスし、このサイトへのログイン処理を行う。【００６２】
また例えば、制御部１１０は、待ち受け画面を表示しているときキー入力部１０３の所定のキー（メニューキー）が押下されると、各種機能の選択を行うメニュー画面を表示部１０７に表示する。このメニュー画面からＰＴＴアプリケーションを選択するようにキー入力部１０３が操作されると、制御部１１０はＰＴＴアプリケーションを起動して、ＰＴＴ通信に関する更に詳細な機能の選択を行うためのメニュー画面を表示部１０７に表示する。このメニュー画面において未応答のＰＴＴ通信に途中参加するようにキー入力部１０３が操作されると、不在着信通知に対応したＰＴＴ通信へ途中参加するように通信部１０２を制御する。【００６３】
上記のような操作によって不在着信通知に係わるＰＴＴ通信に途中参加した場合、制御部１１０は不在着信リストからこのＰＴＴ通信に関する登録情報を削除する。すなわち、途中参加したＰＴＴ通信については既にユーザがその存在を認識しているため、これに関する不在着信通知を行わない。【００６４】
ただし、キー入力部１０３から入力される途中参加の指示に応じて表示中の不在着信通知に係るＰＴＴ通信への途中参加を試みたものの、通信部１０２の通信状態が不良のため当該ＰＴＴ通信を開始できない場合、制御部１１０は通信不良によりＰＴＴ通信を開始できないこと（例えば「通信圏外にあるためＰＴＴ通信を開始できません」などのメッセージ）を表示部１０７に表示する。
また、例えば通信管理装置２００からの終了通知の到着が通信不良などによって遅れた場合、表示部１０７の待ち受け画面において開催中と表示しているにもかかわらず実際の通信は既に終了していることがある。そのため、不在着信通知に応じてＰＴＴ通信への途中参加を試みたが、その通信が既に終了しているため通信を開始できないことがあり得る。このような場合、制御部１１０は、当該ＰＴＴ通信が開催中であることを示す不在着信通知の表示を停止する。【００６５】
上記のようにＰＴＴ通信の途中参加に失敗した場合、途中参加の指示をキー入力部１０３に入力する時点で既に当該ＰＴＴ通信の存在をユーザが認識していると判断できる。この場合、当該ＰＴＴ通信に関する不在着信通知を再度表示する必要はないため、制御部１１０はその登録情報を不在着信リストから削除してもよい。【００６６】
他方、上記のような不在着信通知を表示しているとき、その不在着信通知に係わる不在着信履歴を表示部１０７において表示するための指示がキー入力部１０３に入力された場合も、制御部１１０は不在着信通知の変更や停止を行う。【００６７】
例えば制御部１１０は、表示部１０７の画面に「ＰＴＴ着信あり」等の不在着信通知を表示するとき、これと同じ画面にキー入力部１０３の特定のキーを表すボタンを表示する（図８の待ち受け画面Ｌ６における「ＯＫ」ボタンなど）。この画面を表示しているとき、上記特定のキーがユーザによって押下されると、制御部１１０はＰＴＴアプリケーションを起動し、当該起動したＰＴＴアプリケーションにおいて自動的に不在着信履歴の画面を表示する。【００６８】
また例えば、制御部１１０は、待ち受け画面を表示しているときキー入力部１０３の所定のキー（メニューキー）が押下されると、各種機能の選択を行うメニュー画面を表示部１０７に表示する。このメニュー画面からＰＴＴアプリケーションを選択するようにキー入力部１０３が操作されると、制御部１１０はＰＴＴアプリケーションを起動して、ＰＴＴ通信に関する更に詳細な機能の選択を行うためのメニュー画面を表示部１０７に表示する。このメニュー画面において不在着信履歴の表示を行うようにキー入力部１０３が操作されると、制御部１１０はアプリケーション領域ＡＲ２から不在着信履歴を読み出して、表示部１０７に表示する。【００６９】
制御部１１０は、上記のような方法でＰＴＴアプリケーションを起動して不在着信履歴を表示した場合、履歴表示を行ったＰＴＴ通信に関する登録情報を不在着信リストから削除する。【００７０】
上述した制御部１１０は、ＰＴＴ通信に関連するブロックとして、例えばグループ通信制御部１１１と報知制御部１１２を有する。【００７１】
グループ通信制御部１１１は、グループ通信に係わる処理を行うためのブロックであり、例えばＰＴＴ通信の開始や終了に係わる処理を行う。すなわち、通信部１０２においてＰＴＴ通信の開始通知が受信された場合、所定時間内にキー入力部１０３から当該ＰＴＴ通信への参加指示が入力されると、通信部１０２により当該ＰＴＴ通信を行う。【００７２】
報知制御部１１２は、ＰＴＴの不在着信の報知に係わる処理を行う。すなわち、通信部１０２においてＰＴＴ通信の開始通知が受信された場合、当該開始通知の受信（すなわちＰＴＴの着信があったこと）を表示部１０７やスピーカ１０５によって報知する。そして、所定時間内にキー入力部１０３からＰＴＴ通信への参加指示が入力されないときは、通信部１０２において当該ＰＴＴ通信の終了通知が受信されるまでの間、当該ＰＴＴ通信が開催中であることを表示部１０７に表示する。【００７３】
ここで、上述した構成を有する通信装置の動作について、図３〜図７のフローチャートを参照して説明する。【００７４】
図３は、待ち受け状態からＰＴＴアプリケーションを起動する動作の一例を示すフローチャートである。【００７５】
通信装置の電源がオンすると、制御部１１０は待ち受けアプリケーションを起動する（ステップＳＴ１００）。
制御部１１０は、起動した待ち受けアプリケーションにおいて、外部データ保存領域ＡＲ１に記憶される不在着信リストをチェックする（ステップＳＴ１０１）。不在着信リストに登録される未応答のＰＴＴ通信の数Ｎがゼロより大きい場合（すなわち未応答のＰＴＴ通信が不在着信リストに登録されている場合）、制御部１１０は表示部１０７の待ち受け画面に不在着信通知を表示する（ステップＳＴ１０３，図７）。【００７６】
一方、不在着信リストに登録される未応答のＰＴＴ通信の数Ｎがゼロの場合（すなわち未応答のＰＴＴ通信が不在着信リストに登録されていない場合）、制御部１１０は不在着信通知の表示を行わない（ステップＳＴ１０４）。【００７７】
待ち受け時にＰＴＴ通信の開始通知が通信部１０２において受信されると（ステップＳＴ１０５）、制御部１１０は待ち受けアプリケーションをサスペンド状態に設定してＰＴＴアプリケーションを起動し、ＰＴＴの通信に係わる処理を行う（ステップＳＴ２００，図４）。【００７８】
また、待ち受け時にＰＴＴの着信履歴を表示するための操作がキー入力部１０２に対して行われると（ステップＳＴ１０６）、制御部１１０は待ち受けアプリケーションをサスペンド状態に設定してＰＴＴアプリケーションを起動し、着信履歴の表示に係わる処理を行う（ステップＳＴ３００，図５）。【００７９】
更に、待ち受け時にＰＴＴ通信の終了通知が通信部１０２において受信されると（ステップＳＴ１０７）、制御部１１０は待ち受けアプリケーションをサスペンド状態に設定してＰＴＴアプリケーションを起動し、不在着信リストの更新に係わる処理を行う（ステップＳＴ４００，図６）。【００８０】
図４は、図３のステップＳＴ２００におけるＰＴＴアプリケーションの通信処理の一例を示すフローチャートである。【００８１】
ＰＴＴ通信の開始通知が通信部１０２において受信されると、制御部１１０はＰＴＴアプリケーションを起動し、ＰＴＴアプリケーションによってＰＴＴ着信の報知動作を実行する（ステップＳＴ２０１）。例えば表示部１０７の画面にＰＴＴの着信を告げるメッセージを表示させたり、スピーカ１０５において音を発生させたりすることにより、ＰＴＴ通信の開始通知が受信されたことを報知する。【００８２】
次いで制御部１１０は、キー入力部１０３に設けられた所定のキー（ＰＴＴ通信の開始ボタン）が押下されたか否かを監視する（ステップＳＴ２０２）。所定時間内に開始ボタンが押下された場合、制御部１１０は通信部１０２によってＰＴＴ通信処理を行う。すなわち、受信された開始通知に対してＰＴＴ通信に参加する旨の応答を通信管理装置２００に送信し、ＰＴＴ通信を開始する。
一方、所定時間内に開始ボタンが押下されない場合、制御部１１０はＰＴＴ通信に対する参加指示が入力されなかったと判定し（ステップＳＴ２０４）、この未応答のＰＴＴ通信に関する情報を不在着信リストに登録する（ステップＳＴ２０５）。この場合、新たに登録するＰＴＴ通信の状態を「開催中」に設定する。
また制御部１１０は、不在着信リストに登録される未応答のＰＴＴ通信の数Ｎを「１」だけ増やすとともに、「開催中」の状態にある未応答のＰＴＴ通信の数Ｍを「１」だけ増やす（ステップＳＴ２０６）。【００８３】
図５は、図３のステップＳＴ３００におけるＰＴＴ着信履歴の表示処理の一例を示すフローチャートである。【００８４】
ＰＴＴの着信履歴を表示する指示がキー入力部１０３において入力された場合、制御部１１０はＰＴＴアプリケーションを起動し、ＰＴＴアプリケーションによってアプリケーション領域ＡＲ２に記憶される着信履歴の情報（不在着信履歴を含む）を表示部１０７の画面に表示する（ステップＳＴ３０１）。この画面は、例えば図８の画面Ｌ３，Ｌ４に示すように、受信された開始通知に係るＰＴＴ通信の概略的な情報（主催者名と日時など）をリスト形式で表示する画面と、各ＰＴＴ通信の詳細な情報（主催者名、日時、参加者名など）を表示する画面とに分かれている。
制御部１１０は、「開催中」の状態にある未応答のＰＴＴ通信の情報を着信履歴の画面において表示した場合、このＰＴＴ通信に関する登録情報を不在着信リストから削除するとともに、不在着信リストに登録される未応答のＰＴＴ通信の数Ｎと「開催中」の状態にある未応答のＰＴＴ通信の数Ｍを、それぞれ「１」ずつ減らす。
一方、制御部１１０は、「終了」の状態にある未応答のＰＴＴ通信の情報を着信履歴の画面において表示した場合、このＰＴＴ通信に関する登録情報を不在着信リストから削除するとともに、不在着信リストに登録される未応答のＰＴＴ通信の数Ｎを「１」だけ減らす。【００８５】
図６は、図３のステップＳＴ４００における不在着信リストの更新処理の一例を示す図である。【００８６】
ＰＴＴ通信の終了通知が受信された場合、制御部１１０はＰＴＴアプリケーションを起動し、不在着信リストに登録される当該終了通知に係るＰＴＴ通信の登録情報の検索を行い、検索された登録情報におけるＰＴＴ通信の状態を「開催中」から「終了」に変更する（ステップＳＴ４０１）。また、不在着信リストにおいて「開催中」の状態にある未応答のＰＴＴ通信の数Ｍを「１」だけ減らす。【００８７】
図７は、図３のステップＳＴ１０３における不在着信通知の表示処理の一例を示す図である。【００８８】
不在着信リストに登録される未応答のＰＴＴ通信の数Ｎがゼロより大きく、かつ、不在着信リストにおいて「開催中」の状態にある未応答のＰＴＴ通信の数Ｍがゼロの場合（ステップＳＴ５０３）、制御部１１０は、開催中でない（すなわち終了した）ＰＴＴ通信の着信があることを表示部１０７の画面に表示する（ステップＳＴ５０３）。例えば、「Ｎ件のＰＴＴ着信があります」などのメッセージを表示部１０７に表示する。【００８９】
不在着信リストに登録される未応答のＰＴＴ通信の数Ｎがゼロより大きく、かつ、不在着信リストにおいて「開催中」の状態にある未応答のＰＴＴ通信の数Ｍが「１」の場合（ステップＳＴ５０２）、制御部１１０は、開催中のＰＴＴ通信の着信が（１件）あることを表示部１０７の画面に表示する（ステップＳＴ５０４）。例えば、「開催中のＰＴＴ通信があります」などのメッセージを表示部１０７に表示する。【００９０】
不在着信リストに登録される未応答のＰＴＴ通信の数Ｎがゼロより大きく、かつ、不在着信リストにおいて「開催中」の状態にある未応答のＰＴＴ通信の数Ｍが「１」より大きい場合（ステップＳＴ５０２）、制御部１１０は、開催中のＰＴＴ通信がＭ件あることを表示部１０７の画面に表示する（ステップＳＴ５０５）。例えば、「開催中のＰＴＴ通信がＭ件あります」などのメッセージを表示部１０７に表示する。【００９１】
次に、表示部１０７における画面遷移の例について、図８及び図９を参照して説明する。【００９２】
図８は、着信履歴の表示処理に伴う表示部１０７の画面遷移の一例を示す図である。【００９３】
例えば、記憶部１０８の不在着信リストにおいて「開催中」の状態にあるＰＴＴ通信と「終了」の状態にあるＰＴＴ通信がそれぞれ１件ずつ登録されているものとする。この場合、制御部１１０は待ち受け画面Ｌ１に「開催中のＰＴＴ通信があります」というメッセージを表示する。待ち受け画面Ｌ１の不在着信通知は、ＰＴＴアプリケーションではない他のアプリケーションプログラムによる割り込み処理が発生しても消去されずに表示され続ける。【００９４】
この画面Ｌ１において、不在着信通知の下側に表示される「ＯＫ」ボタンに対応したキー入力部１０３の所定のキー（決定キーなど）が押下されると、制御部１１０はＰＴＴアプリケーションを起動し、アプリケーション領域ＡＲ２に格納される着信履歴の情報を読み出し、この情報に基づいて着信履歴の画面Ｌ３を構成して表示部１０７に表示する。
また、別のメニュー画面Ｌ２においてＰＴＴアプリケーションの着信履歴を表示するようにキー入力部１０３から指示が入力された場合も、制御部１１０は同様に着信履歴の画面Ｌ３を構成して表示部１０７に表示する。【００９５】
着信履歴の画面Ｌ３には、これまでに受信された開始通知に係るＰＴＴ通信の概略的な情報がリスト形式で表示される。この画面Ｌ３において複数のＰＴＴ通信の項目から方向キーなどにより１つの項目が選択され、「ＯＫ」ボタンに対応する所定のキーが押下されると、制御部１１０はこのＰＴＴ通信に関する更に詳細な情報が含まれた画面Ｌ４を構成して表示部１０７に表示する。
このとき画面Ｌ４に表示されたＰＴＴ通信が不在着信リストに登録される未応答のＰＴＴ通信である場合、制御部１１０は不在着信リストからこのＰＴＴ通信に関する登録情報を削除する。【００９６】
画面Ｌ４において「ＯＫ」ボタンに対応する所定のキーが押下されると、制御部１１０はこの未応答のＰＴＴ通信に途中参加する処理を実行する（画面Ｌ５）。【００９７】
ＰＴＴ通信への途中参加が終了して待ち受けアプリケーションに戻ると、不在着信リストには「終了」状態のＰＴＴ通信が１件のみ登録されているため、制御部１１０は待ち受け画面Ｌ６に「１件のＰＴＴ着信があります」というメッセージを表示する。【００９８】
図９は、ＰＴＴ通信の終了通知の受信に伴う画面遷移の一例を示す図である。【００９９】
図８の例と同様に、不在着信リストにおいて「開催中」の状態にあるＰＴＴ通信と「終了」の状態にあるＰＴＴ通信がそれぞれ１件ずつ登録されているものとすると、制御部１１０は待ち受け画面Ｌ７に「開催中のＰＴＴ通信があります」というメッセージを表示する。
このとき、通信部１０２において、この「開催中」の状態にあるＰＴＴ通信の終了通知が受信されると、制御部１１０は不在着信リストにおける当該ＰＴＴ通信の状態を「開催中」の状態から「終了」の状態へ変更する。そのため、リスト変更後の待ち受け画面Ｌ８においては「２件のＰＴＴ着信があります」というメッセージが表示される。この表示により、未応答のＰＴＴ通信に開催中のＰＴＴ通信が含まれていないことが示される。【０１００】
以上説明したように、本実施形態によれば、通信部１０２においてＰＴＴ通信の開始通知が受信された場合、この開始通知の受信を報知する動作（表示部１０７におけるメッセージの表示など）が行われる。この報知動作に対して、キー入力部１０３からＰＴＴ通信へ参加するように指示が入力されない場合、通信部１０２において当該ＰＴＴ通信の終了通知が受信されるまでの間、当該ＰＴＴ通信が開催中であることが表示部１０７に表示される。これにより、開始通知を受信したにも係わらず応答を返さなかった未応答のＰＴＴ通信が存在することを的確に把握できるとともに、そのＰＴＴ通信が開催中であることを容易に確認することができる。【０１０１】
また、通信部１０２において受信された開始通知に係る未応答のＰＴＴ通信が開催中であることを表示部１０７において表示しているとき、通信部１０２において当該ＰＴＴ通信の終了通知が受信されると、当該ＰＴＴ通信の終了が表示部１０７において表示されるため、未応答のＰＴＴ通信が既に終了していることを容易に確認できる。【０１０２】
しかも、未応答のＰＴＴ通信が開催中であることを表示部１０７において表示しているとき、キー入力部１０２において当該ＰＴＴ通信への途中参加の指示を入力することによって、開催中であることが確かなＰＴＴ通信へ容易に途中参加することができる。【０１０３】
また、未応答のＰＴＴ通信が複数あるとき、その中に未だ終了通知を受信していないＰＴＴ通信が含まれているならば、未応答かつ開催中のＰＴＴ通信があることを表示部１０７において表示するため、頻繁にＰＴＴの着信を受ける場合であっても、未応答のＰＴＴ通信とその通信状態を正しく把握することができる。【０１０４】
ここまで本発明の一実施形態について説明したが、本発明は上記の形態のみに限定されるものではなく、種々の改変が可能である。【０１０５】
上述の実施形態では、未応答のＰＴＴ通信が発生した場合、終了通知が受信されるまでそのＰＴＴ通信は開催中の状態にあるものとして扱われているが、本発明はこれに限定されない。例えば、未応答のＰＴＴ通信の終了通知が一定時間以上受信されない場合、そのＰＴＴ通信が開催中の状態から終了状態へ変化したと判断してもよい。
すなわち制御部１１０は、未応答で開催中のＰＴＴ通信があることを表示部１０７において表示し始めてから、このＰＴＴ通信の終了通知が通信部１０２において所定時間以上受信されない場合、当該ＰＴＴ通信が開催中であることを示す表示部１０７の表示を停止してもよい。
これにより、例えば通信不良などのアクシデントによって終了通知が届かない場合に、いつまでも未応答のＰＴＴ通信が開催中として表示されることを有効に回避することができる。【０１０６】
また、図７のフローチャートでは、未応答で開催中のＰＴＴ通信が存在する場合その数Ｍが不在着信通知の中に表示され、未応答で開催中のＰＴＴ通信が存在しない場合は既に終了している未応答のＰＴＴ通信の数Ｎが不在着信通知の中に表示されるが、本発明はこの例に限定されない。例えば図１０に示すように、未応答で開催中のＰＴＴ通信の数と、既に終了している未応答のＰＴＴ通信の数とを両方表示してもよい。【０１０７】
図１０（Ａ）において、不在着信リストには「開催中」状態のＰＴＴ通信が２つ、「終了」状態のＰＴＴ通信が２つ登録されているため、不在着信通知には「開催中：２件、終了：２件」と表示される。
この図１０（Ａ）の状態において、「不在着信４」に係わるＰＴＴ通信の終了通知が受信されると、図１０（Ｂ）に示すように、不在着信リストにおけるこのＰＴＴ通信の状態が「開催中」から「終了」へ変更される。そのため、不在着信通知には「開催中：１件、終了：３件」と表示される。
更に図１０（Ｂ）の状態において、ユーザの操作により「不在着信４」の着信履歴が確認されると、図１０（Ｃ）に示すように、このＰＴＴ通信に関する登録情報が不在着信リストから削除される。そのため、不在着信通知には「開催中：０件、終了：３件」と表示される。
このように、ＰＴＴ通信の状態ごとにその数を表示すれば、より正確に未応答のＰＴＴ通信の状態を把握することができる。【０１０８】
上述の実施形態では、不在着信の報知を主として表示部１０７の画面表示により行っているが、本発明はこれに限定されない。例えばスピーカ１０５において発生する音や、不図示の振動部によって発生する振動、不図示の発光部によって発生する光などにより、不在着信の報知を行ってもよい。【０１０９】
上述の実施形態では、グループ通信の一例としてＰＴＴを挙げているが、本発明はこれに限定されず、他の種々のグループ通信にも適用可能である。【０１１０】
上述した通信装置の構成要素の機能は、全てをソフトウェアで実現しても良いし、その少なくとも一部をハードウェアで実現しても良い。例えば、制御部１１０における処理や通信部１０２、音声処理部１０４におけるデータ処理は、１つ又は複数のプログラムによってコンピュータ上で実現しても良いし、その少なくとも一部をハードウェアで実現しても良い。
【図１】
0004440311.tif 000002
【図２】
0004440311.tif 000003
【図３】
0004440311.tif 000004
【図４】
0004440311.tif 000005
【図５】
0004440311.tif 000006
【図６】
0004440311.tif 000007
【図７】
0004440311.tif 000008
【図８】
0004440311.tif 000009
【図９】
0004440311.tif 000010
【図１０】
0004440311.tif 000011